(57)【特許請求の範囲】
【請求項１】
電極と、該電極に溶接固定された、電極とファンネルネック部の位置出し用弾性体と、陰極線管外部より電位を導入せしめる金属ピンがガラス溶着されてなるステムと、該ステムと前記電極を接続するリードからなる電子銃において、前記金属ピンと前記電極は、前記リードのみを介して接続され、前記リードの弾性力は、前記電極とファンネルネック部の位置出し用弾性体の弾性力より弱くしたことを特徴とする電子銃。
【発明の詳細な説明】
【０００１】
【発明の属する技術分野】
本発明は、陰極線管に内蔵される電子銃に関する。
【０００２】
【従来の技術】
図３は従来の陰極線管全体を示す断面図である。
陰極線管１は、一般に外容器となるファンネルコーン部１ａ、ファンネルネック部１ｂと、第３電極２ａ、第２電極２ｂ、第１電極２ｃで構成され、電子を発射する電子銃と、電子衝突により発光し映像を描画する蛍光膜を備えたフェースプレート１ｃより成る。ここで陰極線管１の特性上、電子銃の電極の中心軸はフェースプレート１ｃの中心軸上に垂直に位置する必要がある。この各中心軸を一致させるため、ファンネルコーン部１ａとフェースプレート１ｃの中心軸を一致させ、ファンネルコーン部１ａの中心軸上にファンネルネック部１ｂの中心軸が位置するようにそれぞれ組み立てられる。このことにより、電子銃の電極中心軸とファンネルネック部の中心軸を一致させるように構成することで、全体の中心軸を一致させている。
【０００３】
図２は従来技術のファンネルネック部に組み込まれた電子銃の部分断面図である。このような陰極線管の電子銃は、例えば図２の部分断面図に示すように、電子銃の基台となるステム４を基準に、各電極（第３電極２ａ、第２電極２ｂ、第１電極２ｃ）が中心軸あわせされて装着される。ここで、ステム４に溶着された電位導入ピン６と電極の接続をリード５ｃ、５ｄにて強固に行い、各電極は一般にビードガラス７と呼ばれる絶縁体で固定される。さらに、第３電極２ａにはファンネルネック部１ｂ（円筒状）との位置出し用弾性体３ａ、３ｂ、３ｃ、３ｄが装着され、ステム４の外径にあわせてファンネルネック部１ｂが溶着されて固定されると同時に前記位置出し用弾性体とで、電子銃の各電極（２ａ、２ｂ、２ｃ）とファンネルネック部１ｂの中心軸を一致させる。さらに、図２において紙面の垂直方向にも位置出し用弾性体（不図示）が装着されることで、高精度の位置出しができる構造となる。また、図中の矢印８、９はファンネルネック径方向を示し、例えばファンネルネック部に対して矢印８および矢印９の方向に中心軸がずれることを略記している。
【０００４】
【発明が解決しようとする課題】
しかしながら、電子銃の基台となるステム４はガラス製で精度が得られず、これを基準に各電極（第３電極２ａ、第２電極２ｂ、第１電極２ｃ）の中心軸をあわせて組み立てることは、電子銃完成においても精度が保証できない。また、ファンネルネック部１ｂと電極の位置出し用弾性体３ａ、３ｂ、３ｃ、３ｄとで、ファンネルネック部１ｂと各電極２ａ、２ｂ、２ｃの中心軸は一致されているが、前記説明の電極とステムの中心軸が位置ずれした電子銃を組み込むことで、ファンネルネック部１ｂとステム４が固定されると、前記位置ずれがファンネルネック部１ｂと電子銃の各電極との間に発生してしまい（電極位置出し用弾性体の固定力は、ファンネルネック部とステムの固定力より弱く、ファンネルネック部とステムは溶着固定されるために精度が得られない）、設計通りの組立精度（各部品の配置）とならない。このように、ファンネルネック部１ｂと電子銃の各電極の中心軸がずれて陰極線管が完成すると、ファンネルネック部１ｂと中心軸を一致されたフェースプレートの中心に、電子銃より発射された電子は到達せず、陰極線管の特性を劣化させ解像度の低下原因となる。
【０００５】
【課題を解決するための手段】
本発明は、電極と、電極に溶接固定された電極とファンネルネック部の位置出し用弾性体と、陰極線管外部より電位を導入せしめる金属ピンがガラス溶着されてなるステムと、該ステムと前記電極を接続するリードからなる電子銃において、前記金属ピンと前記電極は、前記リードのみを介して接続され、前記リードの弾性力は、前記電極とファンネルネック部の位置出し用弾性体の弾性力より弱くして構成した電子銃とする。
【０００６】
【発明の実施の形態】
以下に、図１を参照して本発明の実施の形態を説明する。図１は本発明の第一実施形態で、ファンネルネック部１ｂに垂直に固定されて成るステム４で、陰極線管が真空封着されている。ここで、電子銃の電極２ｂ、２ｃは基台となるステム４の電位導入ピン６にリード５ａ、５ｂを介して各電極が接続されている。電極は、一般にフォーカス電極と呼ばれる第３電極２ａ、加速格子と呼ばれる第２電極２ｂ、制御格子と呼ばれる第１電極２ｃから成り、各電極の相互位置出し固定をビードガラス７にて行う。さらに、第３電極とファンネルネック部１ｂとの中心軸あわせを位置出し用弾性体３ａ、３ｂ、３ｃ、３ｄにて担う。また、図１において紙面の垂直方向にも同様な位置出し用弾性体（不図示）が設けられて、ファンネルネック部１ｂと弾性力により固定されている。上記したリード５ａ、５ｂは、前記位置出し用弾性体の固定力（弾性力）よりも弱いもので構成する。
【０００７】
以上の説明のような構造においても、例えばステム４を基準として組み立てられた電子銃で、矢印８および矢印９のファンネルネック径方向へ電極の中心軸がずれて完成する場合がある。図４は電極の中心軸がずれた電子銃をファンネルネック部へ挿入する状態を示す図である。
このような電子銃をファンネルネック部１ｂへ挿入する場合、ファンネルネック部１ｂと第３電極２ａの位置関係は、第３電極２ａに装着された位置出し用弾性体３ａ、３ｂ、３ｃ、３ｄにより設計通り中心軸が一致して配置されるが、ステム４の中心軸がずれた状態になってしまう。しかし、前記したようにリード５ａ、５ｂを例えば０．１ｍｍの薄板材で構成し、位置出し用の弾性体の固定力よりも弱いもので構成することで、このリードが曲がり、前記ずれ量を吸収することとなり、最低限必要とされるファンネルネック部と第３電極との中心軸を一致させることが可能となる。
【０００８】
【発明の効果】
本発明によれば、陰極線管に搭載される電子銃で、基台となるステムに対して電極の中心軸がずれて完成した場合において（中心軸がずれない場合においても当然問題とならない）、そのずれ量をリードにて吸収することで、ファンネルネック部と電極との中心軸を一致させることが可能となる構造が提供できる。例えば、バイポテンシャル型電子銃に適用して好適ならしめるものである。
【図面の簡単な説明】
【図１】本発明の第一実施形態の電子銃を示す部分断面図。
【図２】従来技術の電子銃を示す部分断面図。
【図３】従来技術の陰極線管全体を示す断面図。
【図４】図４は電極の中心軸がずれた電子銃をファンネルネック部へ挿入する状態を示す図である。
【符号の説明】
１    陰極線管
１ａ  ファンネルコーン部
１ｂ  ファンネルネック部
１ｃ  フェースプレート
２ａ  第３電極
２ｂ  第２電極
２ｃ  第１電極
３ａ  弾性体
３ｂ  弾性体
３ｃ  弾性体
３ｄ  弾性体
４    ステム
５ａ  リード
５ｂ  リード
５ｃ  リード
５ｄ  リード
６    ステムの電位導入ピン
７    ビードガラス
８    電極のずれの一方向
９    電極のずれの一方向
【図１】
0003631009.tif 000002
【図２】
0003631009.tif 000003
【図３】
0003631009.tif 000004
【図４】
0003631009.tif 000005